【手続補正書】
【提出日】平成16年10月27日(2004.10.27)
【手続補正１】
【補正対象書類名】明細書
【補正対象項目名】特許請求の範囲
【補正方法】変更
【補正の内容】
【特許請求の範囲】
【請求項１】
光源で発光したレーザ光をモータ駆動のポリゴンミラーを介して像担持体に露光し、前記像担持体上に静電潜像を形成する画像形成装置であって、
前記像担持体に露光する際に、前記画像形成装置から離間した位置で測定される前記画像形成装置から発生する稼働音のラウドネス値とシャープネス値とに基づいて取得される音質評価式から不快指数が設定されていることを特徴とする画像形成装置。
【請求項２】
前記ラウドネス値をAとし、前記シャープネス値をBとし、前記不快指数をSとした場合に、
前記音質評価式は、S＝0.01024269×A2+0.30996744×B‐2.1386517とすることを特徴とする請求項１に記載の画像形成装置。
【請求項３】
前記不快指数Sは、
S＜‐0.3555
となる範囲内に設定されることを特徴とする請求項２に記載の画像形成装置。
【請求項４】
前記不快指数Sは、
S＜‐0.6296
となる範囲内に設定されることを特徴とする請求項２に記載の画像形成装置。
【請求項５】
ハウジングと、該ハウジングを閉塞する蓋部と、連通孔と、前記連通孔によって前記ハウジング内と連通された吸音室と、から構成される露光ユニットを有し、
前記モータ駆動音の周波数と前記ポリゴンミラーの風切音と前記連通孔における空気抵抗が大きくなる周波数とに基づいて、前記蓋部の厚さと前記連通孔の半径と前記吸音室の容積とを規定することを特徴とする請求項１ないし４のいずれか一に記載の画像形成装置。
【請求項６】
光源で発光したレーザ光をモータ駆動のポリゴンミラーを介して像担持体に露光し、前記像担持体上に静電潜像を形成する画像形成装置から発生する稼働音の音質改善方法であって、
前記像担持体に露光する際に、前記画像形成装置から離間した位置で測定される前記画像形成装置から発生する稼働音のラウドネス値とシャープネス値とに基づいて取得される音質評価式から不快指数を設定するようにしたことを特徴とする音質改善方法。
【請求項７】
前記ラウドネス値をAとし、前記シャープネス値をBとし、前記不快指数をSとした場合に、
前記音質評価式は、S＝0.01024269×A2+0.30996744×B‐2.1386517とすることを特徴とする請求項６に記載の音質改善方法。
【請求項８】
前記不快指数Sを、
S＜‐0.3555
となる範囲内に設定するようにしたことを特徴とする請求項７に記載の音質改善方法。
【請求項９】
前記不快指数Sを、
S＜‐0.6296
となる範囲内に設定するようにしたことを特徴とする請求項７に記載の音質改善方法。
【手続補正２】
【補正対象書類名】明細書
【補正対象項目名】００１１
【補正方法】変更
【補正の内容】
【００１１】
【課題を解決するための手段】
請求項１記載の発明の画像形成装置は、光源で発光したレーザ光をモータ駆動のポリゴンミラーを介して像担持体に露光し、前記像担持体上に静電潜像を形成する画像形成装置であって、前記像担持体に露光する際に、前記画像形成装置から離間した位置で測定される前記画像形成装置から発生する稼働音のラウドネス値とシャープネス値とに基づいて取得される音質評価式から不快指数が設定されている。
したがって、装置の稼動時に発生する稼動音について、当該音の音質を物理量に基づいて評価することが可能になる。
請求項２記載の発明は、請求項１に記載の画像形成装置において、前記ラウドネス値をAとし、前記シャープネス値をBとし、前記不快指数をSとした場合に、前記音質評価式は、S＝0.01024269×A2+0.30996744×B‐2.1386517とする。
【手続補正３】
【補正対象書類名】明細書
【補正対象項目名】００１３
【補正方法】変更
【補正の内容】
【００１３】
請求項３記載の発明は、請求項２に記載の画像形成装置において、前記不快指数Sは、S＜‐0.3555となる範囲内に設定される。
【手続補正４】
【補正対象書類名】明細書
【補正対象項目名】００１５
【補正方法】変更
【補正の内容】
【００１５】
請求項４記載の発明は、請求項２に記載の画像形成装置において、前記不快指数Sは、記載の発明は、S＜‐0.6296となる範囲内に設定される。
【手続補正５】
【補正対象書類名】明細書
【補正対象項目名】００１７
【補正方法】変更
【補正の内容】
【００１７】
請求項５記載の発明は、請求項１ないし４のいずれか一に記載の画像形成装置において、ハウジングと、該ハウジングを閉塞する蓋部と、連通孔と、前記連通孔によって前記ハウジング内と連通された吸音室と、から構成される露光ユニットを有し、前記モータ駆動音の周波数と前記ポリゴンミラーの風切音と前記連通孔における空気抵抗が大きくなる周波数とに基づいて、前記蓋部の厚さと前記連通孔の半径と前記吸音室の容積とを規定する。
【手続補正６】
【補正対象書類名】明細書
【補正対象項目名】００１９
【補正方法】変更
【補正の内容】
【００１９】
したがって、効果的に心理的な不快感を緩和させることが可能になる。
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】変更
【補正の内容】
【００２２】
請求項６記載の発明の音質改善方法は、光源で発光したレーザ光をモータ駆動のポリゴンミラーを介して像担持体に露光し、前記像担持体上に静電潜像を形成する画像形成装置から発生する稼働音の音質改善方法であって、前記像担持体に露光する際に、前記画像形成装置から離間した位置で測定される前記画像形成装置から発生する稼働音のラウドネス値とシャープネス値とに基づいて取得される音質評価式から不快指数を設定するようにした。
【手続補正１０】
【補正対象書類名】明細書
【補正対象項目名】００２３
【補正方法】変更
【補正の内容】
【００２３】
したがって、装置の稼動時に発生する稼動音について、当該音の音質を物理量に基づいて評価することが可能になる。
【手続補正１１】
【補正対象書類名】明細書
【補正対象項目名】００２４
【補正方法】変更
【補正の内容】
【００２４】
請求項７記載の発明は、請求項６に記載の音質改善方法において、前記ラウドネス値をAとし、前記シャープネス値をBとし、前記不快指数をSとした場合に、前記音質評価式は、S＝0.01024269×A2+0.30996744×B‐2.1386517とする。
【手続補正１２】
【補正対象書類名】明細書
【補正対象項目名】００２６
【補正方法】変更
【補正の内容】
【００２６】
請求項８記載の発明は、請求項７に記載の音質改善方法において、前記不快指数Sを、S＜‐0.3555となる範囲内に設定するようにした。
【手続補正１３】
【補正対象書類名】明細書
【補正対象項目名】００２８
【補正方法】変更
【補正の内容】
【００２８】
請求項９記載の発明は、請求項７に記載の音質改善方法において、前記不快指数Sを、S＜‐0.6296となる範囲内に設定するようにした。
【手続補正１４】
【補正対象書類名】明細書
【補正対象項目名】００７９
【補正方法】変更
【補正の内容】
【００７９】
請求項１記載の発明の画像形成装置によれば、光源で発光したレーザ光をモータ駆動のポリゴンミラーを介して像担持体に露光し、前記像担持体上に静電潜像を形成する画像形成装置であって、前記像担持体に露光する際に、前記画像形成装置から離間した位置で測定される前記画像形成装置から発生する稼働音のラウドネス値とシャープネス値とに基づいて取得される音質評価式から不快指数が設定されているため、装置の稼動時に発生する稼動音について、当該音の音質を物理量に基づいて評価することが可能になるので、客観的な評価基準に基づいて、装置周辺の人間に対して、装置から発生する音に対する心理的な不快感を緩和することができる。
請求項２記載の発明によれば、請求項１に記載の画像形成装置において、前記ラウドネス値をAとし、前記シャープネス値をBとし、前記不快指数をSとした場合に、前記音質評価式は、S＝0.01024269×A2+0.30996744×B‐2.1386517とすることにより、装置の稼動時に発生する稼動音について、当該音の音質を物理量に基づいて評価することが可能になるので、客観的な評価基準に基づいて、装置周辺の人間に対して、装置から発生する音に対する心理的な不快感を緩和することができる。
【手続補正１５】
【補正対象書類名】明細書
【補正対象項目名】００８０
【補正方法】変更
【補正の内容】
【００８０】
請求項３記載の発明によれば、請求項２に記載の画像形成装置において、前記不快指数Sは、S＜‐0.3555となる範囲内に設定されることにより、装置の稼動時に発生する稼動音について、当該音の音質をより詳細に規定された物理量に基づいて評価することが可能になるので、客観的な評価基準に基づいて、装置周辺の人間に対して、装置から発生する音に起因する心理的な不快感をより効果的に緩和することができる。
【手続補正１６】
【補正対象書類名】明細書
【補正対象項目名】００８１
【補正方法】変更
【補正の内容】
【００８１】
請求項４記載の発明によれば、請求項２に記載の画像形成装置において、前記不快指数Sは、記載の発明は、S＜‐0.6296となる範囲内に設定されることにより、装置の稼動時に発生する稼動音について、当該音の音質をより詳細に規定された物理量に基づいて評価することが可能になるので、客観的な評価基準に基づいて、装置周辺の人間に対して、装置から発生する稼動音に起因する心理的な不快感をより効果的に緩和することができる。
【手続補正１７】
【補正対象書類名】明細書
【補正対象項目名】００８２
【補正方法】変更
【補正の内容】
【００８２】
請求項５記載の発明によれば、請求項１ないし４のいずれか一に記載の画像形成装置において、ハウジングと、該ハウジングを閉塞する蓋部と、連通孔と、前記連通孔によって前記ハウジング内と連通された吸音室と、から構成される露光ユニットを有し、前記モータ駆動音の周波数と前記ポリゴンミラーの風切音と前記連通孔における空気抵抗が大きくなる周波数とに基づいて、前記蓋部の厚さと前記連通孔の半径と前記吸音室の容積とを規定することにより、効果的に心理的な不快感を緩和させることができる。
【手続補正１８】
【補正対象書類名】明細書
【補正対象項目名】００８３
【補正方法】削除
【補正の内容】
【手続補正１９】
【補正対象書類名】明細書
【補正対象項目名】００８４
【補正方法】削除
【補正の内容】
【手続補正２０】
【補正対象書類名】明細書
【補正対象項目名】００８５
【補正方法】変更
【補正の内容】
【００８５】
請求項６記載の発明の音質改善方法によれば、光源で発光したレーザ光をモータ駆動のポリゴンミラーを介して像担持体に露光し、前記像担持体上に静電潜像を形成する画像形成装置から発生する稼働音の音質改善方法であって、前記像担持体に露光する際に、前記画像形成装置から離間した位置で測定される前記画像形成装置から発生する稼働音のラウドネス値とシャープネス値とに基づいて取得される音質評価式から不快指数を設定することにより、装置の稼動時に発生する稼動音について、当該音の音質を物理量に基づいて評価することが可能になるので、客観的な評価基準に基づいて、装置周辺の人間に対して、装置から発生する音に対する心理的な不快感を緩和することができる。
請求項７記載の発明によれば、請求項６に記載の音質改善方法において、前記ラウドネス値をAとし、前記シャープネス値をBとし、前記不快指数をSとした場合に、前記音質評価式は、S＝0.01024269×A2+0.30996744×B‐2.1386517とすることにより、装置の稼動時に発生する稼動音について、当該音の音質を物理量に基づいて評価することが可能になるので、客観的な評価基準に基づいて、装置周辺の人間に対して、装置から発生する音に対する心理的な不快感を緩和することができる。
【手続補正２１】
【補正対象書類名】明細書
【補正対象項目名】００８６
【補正方法】変更
【補正の内容】
【００８６】
請求項８記載の発明によれば、請求項７に記載の音質改善方法において、前記不快指数Sを、S＜‐0.3555となる範囲内に設定することにより、装置の稼動時に発生する稼動音について、当該音の音質をより詳細に規定された物理量に基づいて評価することが可能になるので、客観的な評価基準に基づいて、装置周辺の人間に対して、装置から発生する音に対する心理的な不快感をより効果的に緩和することができる。
【手続補正２２】
【補正対象書類名】明細書
【補正対象項目名】００８７
【補正方法】変更
【補正の内容】
【００８７】
請求項９記載の発明によれば、請求項７に記載の音質改善方法において、前記不快指数Sを、S＜‐0.6296となる範囲内に設定することにより、装置の稼動時に発生する稼動音について、当該音の音質をより詳細に規定された物理量に基づいて評価することが可能になるので、客観的な評価基準に基づいて、装置周辺の人間に対して、装置から発生する音に対する心理的な不快感をより効果的に緩和することができる。
【手続補正２３】
【補正対象書類名】明細書
【補正対象項目名】符号の説明
【補正方法】変更
【補正の内容】
【符号の説明】
１      画像形成装置
２６      像坦持体
２８      露光ユニット
３７      光源
３９      ポリゴンミラー
４３      蓋部
４３ａ    連通孔
４４      吸音室